(57)【要約】  【課題】  記憶手段が外部から取り出されたときでもセキュリティ性を確保でき、データ記録の処理時間が短く、容易に実現できるデータ記録装置を提供する。  【解決手段】    撮像部１４は、記録対象データである画像データを生成する。主制御部１２は、書込処理部として機能し、画像データをメモリカード１８および内部記憶デバイス２０に書き込む処理を行う。メモリカード１８および内部記憶デバイス２０は第１記憶手段および第２記憶手段である。画像データは、ファイルシステムの管理データおよび実データを含んだファイルデータの形式で記録される。そして、ファイルデータが分割されてメモリカード１８および内部記憶デバイス２０に振り分けられた状態になるように、書込処理が行われる。【選択図】  図１
2006127641.tif 000002
【特許請求の範囲】
【請求項１】
記録対象データを取得するデータ取得部と、
外部から取り出し可能な第１記憶手段および前記第１記憶手段と別の第２記憶手段に対してデータを書き込む処理を行う書込処理部と、
を備え、前記書込処理部は、前記記録対象データを、ファイルシステムの管理データおよび実データを含んだファイルデータの形式で、前記ファイルデータが分割されて前記第１記憶手段および前記第２記憶手段に振り分けられた状態になるように、前記第１記憶手段および前記第２記憶手段に書き込む処理を行うことを特徴とするデータ記録装置。
【請求項２】
前記データ取得部は、前記記録対象データとして画像データを取得することを特徴とする請求項１に記載のデータ記録装置。
【請求項３】
前記書込処理部は、前記第１記憶手段であるメモリ媒体と、前記第２記憶手段である内部記憶デバイスとにデータを書き込む処理を行うことを特徴とする請求項１または２に記載のデータ記録装置。
【請求項４】
前記第１記憶手段の取出要求を受け付ける取出要求受付手段と、
前記取出要求が受け付けられたときに、前記第２記憶手段のデータを前記第１記憶手段に移して、分割されたファイルデータを合体する合体処理部と、
を備えたことを特徴とする請求項１ないし３のいずれかに記載のデータ記録装置。
【請求項５】
前記記録対象データの出力要求を受け付ける出力要求受付手段と、
前記出力要求が受け付けられたとき、前記第１記憶手段および前記第２記憶手段を参照して、前記管理データに従って前記実データを読み取る読取処理部と、
を備えたことを特徴とする請求項１ないし４のいずれかに記載のデータ記録装置。
【請求項６】
前記書込処理部は、前記実データを前記第１記憶手段に書き込み、前記管理データを前記第２記憶手段に書き込むことを特徴とする請求項１ないし５のいずれかに記載のデータ記録装置。
【請求項７】
前記書込処理部は、前記実データの一部を前記第２記憶手段に書き込むことを特徴とする請求項６に記載のデータ記録装置。
【請求項８】
前記書込処理部は、ファイルシステムにて前記実データを構成する複数の断片データの配置を、元の順番通りの配置から強制的に異ならせることを特徴とする請求項６または７に記載のデータ記録装置。
【請求項９】
前記書込処理部は、前記第１記憶手段の管理データ記憶領域に、前記実データに対応する管理データと異なる偽管理データを書き込むことを特徴とする請求項１に記載のデータ記録装置。
【請求項１０】
前記書込処理部は、前記実データおよび前記管理データをそれぞれ分割し、前記第１記憶手段および前記第２記憶手段に振り分けることを特徴とする請求項１ないし５のいずれかに記載のデータ記録装置。
【請求項１１】
前記管理データを、装置固有の情報に基づいて変換する管理データ変換手段を備えたことを特徴とする請求項１ないし１０のいずれかに記載のデータ記録装置。
【請求項１２】
記録対象データを取得するデータ取得部と、
外部から取り出し可能な記憶手段にデータを書き込む処理を行う書込処理部と、
を備え、前記書込処理部は、前記記録対象データを、ファイルシステムの管理データおよび実データを含んだファイルデータの形式で、前記管理データが装置固有の情報に基づいて変換された状態で、前記記憶手段に書き込む処理を行うことを特徴とするデータ記録装置。
【請求項１３】
記録対象データをコンピュータに記録させるデータ記録方法であって、
外部から取り出し可能な第１記憶手段および前記第１記憶手段と別の第２記憶手段に対してデータを書き込む処理であって、前記記録対象データを、ファイルシステムの管理データおよび実データを含んだファイルデータの形式で、前記ファイルデータが分割されて前記第１記憶手段および前記第２記憶手段に振り分けられた状態になるように、前記第１記憶手段および前記第２記憶手段に書き込む処理を行うことを特徴とするデータ記録方法。
【請求項１４】
記録対象データを記録する処理をコンピュータに実行させるデータ記録プログラムであって、
外部から取り出し可能な第１記憶手段および前記第１記憶手段と別の第２記憶手段に対してデータを書き込む処理であって、前記記録対象データを、ファイルシステムの管理データおよび実データを含んだファイルデータの形式で、前記ファイルデータが分割されて前記第１記憶手段および前記第２記憶手段に振り分けられた状態になるように、前記第１記憶手段および前記第２記憶手段に書き込む処理を前記コンピュータに実行させることを特徴とするデータ記録プログラム。
【請求項１５】
画像データを生成する撮像部と、
外部から取り出し可能な第１記憶手段および前記第１記憶手段と別の第２記憶手段に対してデータを書き込む処理を行う書込処理部と、
を備え、前記書込処理部は、前記画像データを、ファイルシステムの管理データおよび実データを含んだファイルデータの形式で、前記ファイルデータが分割されて前記第１記憶手段および前記第２記憶手段に振り分けられた状態になるように、前記第１記憶手段および前記第２記憶手段に書き込む処理を行うことを特徴とする撮像装置。
【発明の詳細な説明】
【技術分野】
【０００１】
本発明は、外部から取り出し可能な記憶手段を備えたデータ記録装置に関する。データ記録装置は、例えば監視カメラ等の撮像装置に設けられる。
【背景技術】
【０００２】
従来、各種の電子機器が、取り出し可能な記憶手段にデータを書き込むデータ記録装置を備えており、例えば、取り出し可能なメモリカードに画像データを記録できるメモリカード搭載監視カメラが知られている。この種の監視カメラは、例えば、アラーム画像をメモリカードに記録する。アラーム画像は、アラームが発生したときに撮影された画像であり、アラーム発生は、例えば、ドア等の検知器によって検知される。また、監視画像を送るためのケーブルが切断されたときに、画像がメモリカードに記録されることもある。
【０００３】
このような監視カメラでは、セキュリティの観点から、正規の管理者以外の第三者によってカメラからメモリカードが取り出されたとしても、メモリカード内の画像データが不正に閲覧および利用されるのを防止することが求められる。
【０００４】
メモリカードの画像データの不正閲覧を防止する技術は、例えば、特許文献１に記載されている。同文献は、公開鍵暗号方式を採用している。画像データが公開鍵を用いて暗号化され、それからメモリカードに保存される。メモリカードの画像データを出力するときは、公開鍵と対になる秘密鍵を用いて画像データが復号化される。
【特許文献１】特開２００２−９１７４４号公報（第１０ページ、図３）
【発明の開示】
【発明が解決しようとする課題】
【０００５】
しかしながら、従来のデータ記録装置は、公開鍵を用いた暗号化および復号化を行っており、暗号化および復号化のためのソフトウエアでの処理時間が長い。そのため、監視カメラにおけるアラーム画像の記録のように高速での書込みが要求される場合には適さないという問題があった。
【０００６】
また、従来技術では、暗号化および復号化のための専用のハードウエアが必要とされる。そして、画像データを閲覧するためには、管理者であっても、復号化のための専用の出力装置が必要であり、さらに、鍵の管理および受渡しが必要である。このように、従来装置は、暗号処理のハードウエア等が必要であり、そのため、実現が容易でないといった問題があった。
【０００７】
本発明は、上記の問題を解決するためになされたもので、その目的は、セキュリティ性を確保でき、処理時間が短く、容易に実現できるデータ記録装置を提供することにある。
【課題を解決するための手段】
【０００８】
本発明のデータ記録装置は、記録対象データを取得するデータ取得部と、外部から取り出し可能な第１記憶手段および前記第１記憶手段と別の第２記憶手段に対してデータを書き込む処理を行う書込処理部とを備え、前記書込処理部は、前記記録対象データを、ファイルシステムの管理データおよび実データを含んだファイルデータの形式で、前記ファイルデータが分割されて前記第１記憶手段および前記第２記憶手段に振り分けられた状態になるように、前記第１記憶手段および前記第２記憶手段に書き込む処理を行うように構成されている。
【０００９】
この構成により、ファイルデータが第１記憶手段および第２記憶手段に振り分けられるので、第三者が第１記憶手段だけを取り出しても、データを閲覧できない。このように、複数の記憶手段にデータを振り分けることで不正閲覧を防止しているので、閲覧防止のための構成が簡単であり、処理時間も短くてすむ。したがって、セキュリティ性を確保でき、処理時間が短く、容易に実現できるデータ記録装置を提供できる。
【００１０】
また、本発明のデータ記録装置では、前記データ取得部は、前記記録対象データとして画像データを取得する。画像データは例えば監視カメラの画像である。この構成により、監視カメラの画像記録のように高速の書込が要求される場合でも、第三者が利用不能な状態でデータを記録できる。
【００１１】
また、本発明のデータ記録装置において、前記書込処理部は、前記第１記憶手段であるメモリ媒体と、前記第２記憶手段である内部記憶デバイスとにデータを書き込む処理を行う。この構成により、メモリ媒体のデータの不正閲覧等を、内部記憶デバイスを使って効果的に防止できる。
【００１２】
また、本発明のデータ記録装置は、前記第１記憶手段の取出要求を受け付ける取出要求受付手段と、前記取出要求が受け付けられたときに、前記第２記憶手段のデータを前記第１記憶手段に移して、分割されたファイルデータを合体する合体処理部とを備えている。この構成により、正規のユーザによって第１記憶手段が取り出されるときには、第１記憶手段内でファイルデータが合体されるので、パーソナルコンピュータなどを使ってデータを閲覧でき、専用のビューワなどが不要である。したがって、ユーザが容易に利用できるデータ記録装置を提供できる。
【００１３】
また、本発明のデータ記録装置は、前記記録対象データの出力要求を受け付ける出力要求受付手段と、前記出力要求が受け付けられたとき、前記第１記憶手段および前記第２記憶手段を参照して、前記管理データに従って前記実データを読み取る読取処理部とを備えている。この構成により、例えば正規のユーザからデータの出力が要求されたときは、記録対象データが第１記憶手段および第２記憶手段を参照して読み取られ、出力される。したがって、ユーザが容易に利用できるデータ記録装置を提供できる。
【００１４】
また、本発明のデータ記録装置において、前記書込処理部は、前記実データを前記第１記憶手段に書き込み、前記管理データを前記第２記憶手段に書き込む。この構成により、第１記憶手段に管理データが書き込まれないので、第１記憶手段から実データを読み取ることができず、したがって、効果的に不正閲覧および不正利用を防止でき、セキュリティ性を確保できる。
【００１５】
また、本発明のデータ記録装置において、前記書込処理部は、前記実データの一部を前記第２記憶手段に書き込む。この構成により、実データの一部を第１記憶手段に書き込まず、第２記憶手段で保持するので、セキュリティ性をさらに向上できる。
【００１６】
また、本発明のデータ記録装置において、前記書込処理部は、ファイルシステムにて前記実データを構成する複数の断片データの配置を、元の順番通りの配置から強制的に異ならせる。この構成により、実データの複数の断片データが、元の順番から強制的に変えられ、実データが強制的に断片的に書き込まれる。実データが初めて記録されるときでも、断片データの配置が強制的に換えられる。したがって、実データのみからのデータの復元がさらに困難になり、セキュリティ性をさらに向上できる。
【００１７】
また、本発明のデータ記録装置において、前記書込処理部は、前記第１記憶手段の管理データ記憶領域に、前記実データに対応する管理データと異なる偽管理データを書き込む。この構成により、第１記憶手段に偽管理データを書き込むので、第１記憶手段からの実データの読取がさらに困難になり、セキュリティ性をさらに向上できる。
【００１８】
また、本発明のデータ記録装置において、前記書込処理部は、前記実データおよび前記管理データをそれぞれ分割し、前記第１記憶手段および前記第２記憶手段に振り分ける。この構成により、第１記憶手段から記録対象のデータを読み取れないので、セキュリティ性を確保できる。
【００１９】
また、本発明のデータ記録装置は、前記管理データを、装置固有の情報に基づいて変換する管理データ変換手段を備えている。この構成により、管理データが変換された状態で記録されるので、セキュリティ性を向上できる。装置固有の情報は例えば装置番号である。
【００２０】
また、本発明の別態様のデータ記録装置は、記録対象データを取得するデータ取得部と、外部から取り出し可能な記憶手段にデータを書き込む処理を行う書込処理部とを備え、前記書込処理部は、前記記録対象データを、ファイルシステムの管理データおよび実データを含んだファイルデータの形式で、前記管理データが装置固有の情報に基づいて変換された状態で、前記記憶手段に書き込む処理を行うように構成されている。この態様では、ファイルデータの全体が、取り出し可能な記憶手段に書き込まれてもよい。ただし、上述の変換処理が管理データに施されるので、セキュリティ性を確保できる。しかも、このような変換処理は、処理時間が短く、また、実現も容易である。
【００２１】
また、本発明の別態様は、記録対象データをコンピュータに記録させるデータ記録方法であり、この方法は、外部から取り出し可能な第１記憶手段および前記第１記憶手段と別の第２記憶手段に対してデータを書き込む処理であって、前記記録対象データを、ファイルシステムの管理データおよび実データを含んだファイルデータの形式で、前記ファイルデータが分割されて前記第１記憶手段および前記第２記憶手段に振り分けられた状態になるように、前記第１記憶手段および前記第２記憶手段に書き込む処理を行うように構成されている。この構成によっても上述の本発明の利点が得られる。
【００２２】
また、本発明の別態様は、記録対象データを記録する処理をコンピュータに実行させるデータ記録プログラムであり、このプログラムは、外部から取り出し可能な第１記憶手段および前記第１記憶手段と別の第２記憶手段に対してデータを書き込む処理であって、前記記録対象データを、ファイルシステムの管理データおよび実データを含んだファイルデータの形式で、前記ファイルデータが分割されて前記第１記憶手段および前記第２記憶手段に振り分けられた状態になるように、前記第１記憶手段および前記第２記憶手段に書き込む処理を前記コンピュータに実行させるように構成されている。この構成によっても上述の本発明の利点が得られる。
【００２３】
また、本発明の別態様は撮像装置であり、この撮像装置は、画像データを生成する撮像部と、外部から取り出し可能な第１記憶手段および前記第１記憶手段と別の第２記憶手段に対してデータを書き込む処理を行う書込処理部とを備え、前記書込処理部は、前記画像データを、ファイルシステムの管理データおよび実データを含んだファイルデータの形式で、前記ファイルデータが分割されて前記第１記憶手段および前記第２記憶手段に振り分けられた状態になるように、前記第１記憶手段および前記第２記憶手段に書き込む処理を行うように構成されている。この構成により、撮像装置において、上述の本発明の利点が得られる。
【発明の効果】
【００２４】
上記のように、本発明は、第１記憶手段と第２記憶手段とにファイルデータを振り分ける書込処理部を設けたことにより、セキュリティ性を確保でき、処理時間が短く、容易に実現できるという効果を有するデータ記録装置を提供することができる。
【発明を実施するための最良の形態】
【００２５】
以下、本発明の実施の形態のデータ記録装置について、図面を用いて説明する。本実施の形態では、データ記録装置が、撮像装置の一形態である監視カメラ装置に設けられている。
【００２６】
本発明の第１の実施の形態の監視カメラ装置を図１に示す。監視カメラ装置１０において、主制御部１２は、コンピュータで構成されており、監視カメラ装置１０の全体を制御している。撮像部１４は、レンズおよび撮像素子等で構成されており、画像データを生成し、主制御部１２へ供給する。撮像素子は例えばＣＣＤである。
【００２７】
メモリカードインターフェース部１６は、監視カメラ装置１０に接続されたメモリカード１８へデータを書き込み、また、メモリカード１８からデータを読み取る。主制御部１２は、メモリカードインターフェース部１６を制御して、メモリカード１８にデータを書き込み、また、メモリカード１８からデータを読み取る処理を行う。メモリカード１８は、フラッシュメモリ等のメモリ媒体を備えており、例えば、６４Ｍバイト程度の記憶容量を有している。そして、メモリカード１８は外部から取出し可能である。
【００２８】
また、内部記憶デバイス２０は、監視カメラ装置１０に内蔵された記憶デバイスであり、ＥＥＰＲＯＭまたはフラッシュメモリ等の不揮発性メモリで構成されている。主制御部１２は、内部記憶デバイス２０に対してもデータを読み書きする処理を行う。
【００２９】
上記において、撮像部１４は本発明のデータ取得部に相当しており、主制御部１２が書込処理部に相当し、メモリカード１８および内部記憶デバイス２０がそれぞれ第１記憶手段および第２記憶手段に相当している。主制御部１２は、撮像部１４が取得した画像データを、メモリカード１８および内部記憶デバイス２０に書き込む処理を行う。
【００３０】
また、監視カメラ装置１０において、通信部２２は、ＬＡＮ２４を経由して、パーソナルコンピュータ２６と通信する機能をもっている。主制御部１２は、通信部２２を制御して、ＬＡＮ通信により、パーソナルコンピュータ２６へと画像データを出力する処理を行う。
【００３１】
監視カメラ装置１０は、さらに、表示部２８および操作部３０を有しており、表示部２８および操作部３０も主制御部１２により制御されている。表示部２８は、ディスプレイであり、監視カメラ装置１０の操作を案内するための各種の情報を表示する。操作部３０は、スイッチおよびボタン等で構成されている。操作部３０はタッチパネルで構成されてもよい。そして、ユーザの各種の指示が、操作部３０を使って入力される。
【００３２】
次に、主制御部１２がメモリカード１８および内部記憶デバイス２０に対して画像データを書き込む処理を説明する。下記のように、画像データは分割されて、メモリカード１８と内部記憶デバイス２０に振り分けられる。
【００３３】
ここで、画像データの書込処理について説明する前に、データ記録のファイルシステムについて説明する。本実施の形態では、汎用のファイルシステムが用いられる。
【００３４】
図２は、メモリカード１８にデータを記録するためのファイルシステム４０を模式的に示している。ファイルシステム４０は、管理テーブル４２とデータ領域４４とで構成され、これらが記録媒体上に記録される。管理テーブル４２は、ファイル配置情報４６およびディレクトリ領域４８で構成されている。
【００３５】
データ領域４４には、実データが記録される。ここでは、実データは画像データである。ディレクトリ領域４８には、画像データの先頭アドレスのテーブルが記録される。また、ファイル配置情報４６はデータの配置情報であり、配置情報は、各ファイルの画像データがデータ領域４４のクラスタ群にどのように配置されているかを示す情報である。
【００３６】
上記において、管理テーブル４２のデータが、本発明の管理データに相当する。管理データのデータ量は、実データより大幅に少ない。また、管理データと実データを含むデータが、本発明のファイルデータに相当する。
【００３７】
図３は、１つの画像データを例に取り、ファイルシステム４０をより詳細に示している。図３において、データ領域４４は、多数のクラスタに分割されている。画像データ「ｉｍａｇｅ１．ｊｐｇ」が、クラスタ１、３、６、７に記録されるとする。このとき、ディレクトリ領域４８には、「ｉｍａｇｅ１．ｊｐｇ」の先頭アドレスが記録され、これによりクラスタ１を示す情報が記録される。さらに、ファイル配置情報４６のテーブルでは、クラスタ１の欄に、クラスタ３を示す情報が記録される。これにより、クラスタ１の実データに、クラスタ３の実データが続くことが分かる。同様に、クラスタ３の欄に、クラスタ６を示す情報が記録され、クラスタ６の欄にクラスタ７を示す情報が記録され、クラスタ７の欄に終了を示す情報が記録される。このような管理テーブルから、実データが、クラスタ１、３、６、７に記録され、クラスタ７で終わることが分かる。
【００３８】
上記のファイルシステムの構成を踏まえた上で、次に、本実施の形態の画像データの書込処理を説明する。
【００３９】
図４は、本実施の形態の書込処理を示している。本実施の形態では、図示のように、画像のファイルデータが、実データと管理テーブルに分けられる。そして、実データがメモリカード１８に記録され、管理テーブルが内部記憶デバイス２０に記録される。これにより、ファイルデータが分割されて、メモリカード１８と内部記憶デバイス２０に振り分けられる。その結果、メモリカード１８では、データ領域４４には画像データが書き込まれるが、管理テーブルは空になっている。
【００４０】
主制御部１２は、図４の書込状態が得られるように、メモリカード１８および内部記憶デバイス２０に対するデータの書込を制御する。本発明の範囲内で、最終的に図４の状態が得られていればよい。例えば、最初に通常通りにメモリカード１８に管理テーブルおよび実データが記録され、それから、管理テーブルが内部記憶デバイス２０に移動されてもよい。
【００４１】
次に、図５は、メモリカード１８が取り出されるときの処理を示している。図５において、上述の書込処理が行われた結果、メモリカード１８の取出前は、実データがメモリカード１８に記録されており、管理テーブルが内部記憶デバイス２０に記録されている。そして、メモリカード１８の管理テーブルは空である。
【００４２】
図１において、メモリカード１８を取り出すときは、主制御部１２が表示部２８を制御して、取出要求のための操作の案内を表示させる。そして、操作部３０が案内に従って操作され、取出要求を示す情報が主制御部１２に送られ、これにより、取出要求が主制御部１２に受け付けられる。取出要求の操作では、例えば、取出のためのボタンが押される。また、取出要求の受付の際には、パスワードなどを用いた適当な認証処理が好適に行われる。
【００４３】
図５に戻ると、主制御部１２は、取出要求を受け付けると、内部記憶デバイス２０の管理テーブルをメモリカード１８に移す。ここでは、主制御部１２は、内部記憶デバイス２０から管理テーブルを読み取り、読み取った管理テーブルをメモリカード１８に書き込む。これにより、記録時に分割されたファイルデータが、メモリカード１８上で合体される。このような合体処理の後で、メモリカード１８が監視カメラ装置１０から取り出される。例えば、メモリカード１８の装着部のカバーが図示しない駆動機構により開かれる。
【００４４】
上記において、主制御部１２は、操作部３０と共に取出要求受付手段として機能しており、また、ファイルデータの合体処理部としても機能している。
【００４５】
次に、図６は、メモリカード１８の画像データをＬＡＮ経由で出力するときの処理を示している。ここでも、上述の書込処理が行われた結果、画像データの出力前は、実データがメモリカード１８に記録されており、管理テーブルが内部記憶デバイス２０に記録されている。
【００４６】
図１において、主制御部１２は、通信部２２を制御し、ＬＡＮ２４を経由して、パーソナルコンピュータ２６との間で通信する。この通信により、主制御部１２は、パーソナルコンピュータ２６から、画像データの出力要求を受け付ける。ここでの通信では、パスワードなどを用いた適当な認証処理が好適に行われる。
【００４７】
主制御部１２は、出力要求を受け付けると、図６に示されるように、メモリカード１８および内部記憶デバイス２０を参照して、出力すべき画像データを再構築する。すなわち、内部記憶デバイス２０の管理テーブルの情報に従って、メモリカード１８から各ファイルの実データが読み出される。そして、複数のクラスタに分かれた断片データが、管理テーブルに従ってつなぎ合わされる。こうして得られた画像データが、通信部２２を使って送出される。
【００４８】
上記において、主制御部１２は、通信部２２と共に、出力要求受付手段として機能しており、また、画像データの読取（再構築）処理部としても機能している。
【００４９】
次に、本実施の形態の監視カメラ装置１０の動作を説明する。監視カメラ装置１０において、撮像部１４は、監視用の画像データを生成し、主制御部１２に供給する。本実施の形態では、動画像データが生成される。主制御部１２は、通常の画像データについては、通信部２２を制御して、ＬＡＮ２４経由でパーソナルコンピュータ２６に送信させる。
【００５０】
一方、主制御部１２は、アラーム画像データについては、メモリカード１８に記録する処理を行う。アラーム画像データは、例えば、図示されない検知器によりアラーム発生が検知されたときに撮影された画像データである。検知器は、例えばドアの開閉センサである。主制御部１２は、検知器と接続されており、検知器の信号に応じて、アラーム発生時に撮像部１４から供給される画像データをメモリカード１８に記録する。
【００５１】
そして、主制御部１２は、画像データメモリカード１８に記録するときに、図４を用いて説明したように、実データをメモリカード１８に書き込み、管理テーブルを内部記憶デバイス２０に書き込む。メモリカード１８には、管理テーブルは書き込まれない。あるいは、一旦書き込まれたとしても、管理テーブルは消去される。
【００５２】
主制御部１２は、通信部２２を使った通信が不能になったときにも、画像データをメモリカード１８に記録する処理を行う。これにより、例えば、通信ケーブルが切断されたときに、画像データがメモリカード１８に記録される。そして、主制御部１２は、通信不能時にも、図４に示されるように、実データをメモリカード１８に書き込み、管理テーブルを内部記憶デバイス２０に書き込む。
【００５３】
上記の書込処理では、鍵方式の暗号化を行っておらず、単に、データが２つの記憶手段に振り分けられているので、処理時間が短くてすむ。したがって、監視カメラ装置１０の監視画像の記録処理のように、データ量が多く、高速の書込が要求される場合にも、本実施の形態は好適に書込処理を行える。
【００５４】
画像データの記録後に、管理者が、操作部３０に対して、メモリカード１８を取り出すための操作を行うと、前述したように、取出要求が主制御部１２に受け付けられる。主制御部１２は、図５に示されるように、取出要求を受け付けると、内部記憶デバイス２０の管理テーブルをメモリカード１８に移す処理を行う。それから、主制御部１２は、図示されない装着機構を制御して、メモリカード１８を取出可能な状態にする。
【００５５】
メモリカード１８は、管理者により取り出され、例えば、パーソナルコンピュータに装着される。管理者は、パーソナルコンピュータを使って、メモリカード１８内の画像データを閲覧する。ここで、カード取出時に、内部記憶デバイス２０からメモリカード１８に管理テーブルが移されており、これにより、記録時に分割されたファイルデータがメモリカード１８上で合体されている。したがって、一般的なパーソナルコンピュータが、メモリカード１８から、管理テーブルに従って画像データを読み取ることができる。専用のビューワが用意されなくてよい。
【００５６】
また、データには、公開鍵を使うような特別な暗号化は施されていない。したがって、管理者は、秘密鍵を用意することもなく、パーソナルコンピュータで画像データを閲覧できる。また、鍵方式の復号化を行わないので、短い処理時間で画像を再生できる。
【００５７】
また、画像データの記録後に、パーソナルコンピュータ２６から通信でメモリカード１８の画像データの出力要求を受け付けたとする。この場合、主制御部１２は、図６に示されるように、メモリカード１８および内部記憶デバイス２０を参照して、出力すべき画像データを再構築する。ここでは、内部記憶デバイス２０の管理テーブルに従って、メモリカード１８から実データが読み取られる。こうして得られた画像データが、通信部２２を使って送出される。したがって、管理者は、監視カメラ装置１０で分割状態で記録されている画像ファイルデータをＬＡＮ２４経由で閲覧することができる。
【００５８】
一方で、管理者以外の人間が、監視カメラ装置１０からメモリカード１８を取り出したとする。しかし、所定の操作が行われない限り、メモリカード１８には管理テーブルが書き込まれない。例えば、カメラ電源がオフにされてからメモリカード１８が取り出されたり、あるいは、監視カメラ装置１０が破壊されてからメモリカード１８が取り出されたときは、管理テーブルはメモリカード１８に移されない。メモリカード１８の管理テーブルは空である。管理テーブルがなければ、データ領域４４の画像データを読み取ることはできない。このようにして、本実施の形態によれば、不正な閲覧および利用を防止できる。
【００５９】
以上に本発明の第１の実施の形態の監視カメラ装置１０について説明した。本実施の形態では、メモリカード１８および内部記憶デバイス２０が本発明の第１記憶手段および第２記憶手段に相当している。そして、ファイルデータが第１記憶手段および第２記憶手段に振り分けられる。本実施の形態では、ファイルデータの実データが第１記憶手段に書き込まれ、管理データが第２記憶手段に書き込まれる。これにより、第三者が第１記憶手段を取り出しても、データを閲覧できない。このように、本実施の形態は、複数の記憶手段にデータを振り分けることで閲覧を防止しているので、閲覧防止の構成が簡単であり、処理時間も短くてすむ。したがって、セキュリティ性を確保でき、処理時間が短くてすみ、実現も容易である。
【００６０】
また、本実施の形態の監視カメラ装置１０では、正規の管理者により第１記憶手段が取り出されるときには、第１記憶手段内でファイルデータが合体される。管理者は、上述のように、パーソナルコンピュータなどを使ってデータを閲覧でき、専用のビューワなどは不要である。したがって、セキュリティを確保しつつも、管理者は容易に画像データを閲覧できる。
【００６１】
また、本実施の形態の監視カメラ装置１０では、正規の管理者により画像データの出力が要求されたときは、第１記憶手段の実データが第２記憶手段の管理データを参照して読み取られ、読み取られたデータが出力される。したがって、セキュリティ性を確保しつつも、管理者は容易にデータを出力させることができる。
【００６２】
なお、本実施の形態では、データ記録装置が監視カメラ装置１０に設けられた。監視カメラ装置１０は、撮像装置の一形態である。しかし、データ記録装置は、撮像装置に設けられなくてもよい。また、記録対象データは、画像データに限定されず、例えば、音声データでもよい。もちろん、音声データと画像データの両方でもよい。
【００６３】
また、本実施の形態では、第１記憶手段がメモリカードであった。しかし、本発明はこれに限定されない。第１記憶手段は、外部から取り出し可能な記録媒体であればよい。
【００６４】
また、本実施の形態では、第２記憶手段が内部記憶デバイスであった。しかし、本発明はこれに限定されない。第２記憶手段も、第１記憶手段と同様に外部から取り出し可能な記録媒体であってもよく、そして、第２記憶手段もメモリカードであってもよい。この場合には、監視カメラ装置１０に、メモリカード装着部とメモリカードインターフェース部が増設される。
【００６５】
また、本実施の形態では、第１記憶手段および第２記憶手段が、それぞれ、一つのメモリカード１８および一つの内部記憶デバイス２０で示されている。しかし、第１記憶手段および第２記憶手段の一方または両方が、複数の記憶媒体で構成されてもよい。
【００６６】
また、本実施の形態では、監視カメラ装置１０と外部との接続形態がネットワークであり、画像データがネットワークへ出力された。しかし、本発明はこれに限定されない。外部との接続形態は、アナログ接続であってもよい。この場合は、アナログ画像信号が出力される。
【００６７】
次に、本発明の第２の実施の形態について説明する。本実施の形態でも、データ記録装置が監視カメラ装置に設けられている。そして、本実施の形態の監視カメラ装置は、図１に示される第１の実施の形態と同様の構成を備えている。ただし、本実施の形態は、第１の実施の形態と比べると、画像データの記録関連の処理が異なっている。以下、第１の実施の形態と共通する事項の説明は適当に省略する。
【００６８】
図７は、本実施の形態の画像データの書込処理を示している。図示のように、本実施の形態では、第１の実施の形態と同様に、管理テーブルが内部記憶デバイス２０に格納される。しかし、実データに対しては、第１の実施の形態と異なる処理がなされる。
【００６９】
すなわち、第１の実施の形態では、全部の実データがメモリカード１８に書き込まれた。これに対して、図７では、実データの一部が内部記憶デバイス２０に書き込まれ、残りがメモリカード１８に書き込まれる。内部記憶デバイス２０に書き込まれる実データは、例えば、メモリカード１８のデータ領域４４の所定の一部分に書き込まれるべきデータである。
【００７０】
上記の処理は、主制御部１２によって実現される。主制御部１２は、メモリカード１８および内部記憶デバイス２０のデータが図７の状態になるように書込処理を行う。
【００７１】
また、メモリカード１８が取り出されるときは、内部記憶デバイス２０の管理テーブルおよび実データが、メモリカード１８に移され、これによりファイルデータが合体される。
【００７２】
さらに、画像データの出力時は、主制御部１２は、メモリカード１８と内部記憶デバイス２０を参照して、メモリカード１８と内部記憶デバイス２０の実データを、内部記憶デバイス２０の管理テーブルに従って読み取る。そして、読み取られた画像データが通信で出力される。
【００７３】
以上に説明したように、本発明の第２の実施の形態によっても、ファイルデータが第１記憶手段と第２記憶手段に振り分けられるので、第１の実施の形態と同様に、セキュリティを好適に確保できる。そして、本実施の形態によれば、実データの一部を第１記憶手段に書き込まず、第２記憶手段で保持するので、第１記憶手段からのデータの読取りがさらに困難になり、したがって、セキュリティ性をさらに向上できる。
【００７４】
次に、本発明の第３の実施の形態について説明する。本実施の形態でも、データ記録装置が監視カメラ装置に設けられている。そして、本実施の形態の監視カメラ装置は、図１に示される第１の実施の形態と同様の構成を備えている。ただし、本実施の形態は、第１の実施の形態と比べると、画像データの記録関連の処理が異なっている。以下、第１の実施の形態と共通する事項の説明は適当に省略する。
【００７５】
図８は、本実施の形態の画像データの書込処理を示している。図示のように、本実施の形態では、第１の実施の形態と同様に、管理テーブルが内部記憶デバイス２０に格納される。また、実データも、第１の実施の形態と同様に、メモリカード１８に格納される。ただし、本実施の形態では、実データの書込の際に、下記のような処理が行われる。
【００７６】
既に説明したように、ファイルシステムでは、画像データのようにデータ量が多い場合、実データは、複数の断片データに分けられ、複数の断片データが複数のクラスタへと振り分けられる。このとき、本実施の形態では、複数の断片データの配置が、元の順番通りの配置から強制的に変えられる。
【００７７】
例えば、メモリカード１８に初めてデータが書き込まれるとき、従来のデータ記録装置では、クラスタ１、２、３、、、が順番に使用される。複数の断片データは、元の順番に並ぶことになる。しかし、本実施の形態では、メモリカード１８に初めてデータが書き込まれるときでも、断片データの配置が強制的に変えられる。
【００７８】
配置を強制的に変更するとき、断片データ同士の間に適当に隙間が設けられてもよい。また、断片データの順番が入れ替えられてもよい。また、断片データの配置を変えるために、各断片データが、ランダムに選択されたクラスタに書き込まれてもよい。さらにまた、予め決められた順番でクラスタが使用されてもよい。このとき、クラスタの順番は、クラスタ番号に従った順番と異なって設定される。
【００７９】
上記の処理は、主制御部１２によって実現される。主制御部１２は、複数の断片データの配置がメモリカード１８のデータ領域４４で元の順番通りに連続して並ばないように、書込処理を行う。
【００８０】
メモリカード１８を取り出すときの処理は、第１の実施の形態と同様でよい。また、画像データの出力処理も、第１の実施の形態と同様でよい。
【００８１】
以上に説明したように、本発明の第３の実施の形態によっても、ファイルデータが第１記憶手段と第２記憶手段に振り分けられるので、第１の実施の形態と同様に、セキュリティを好適に確保できる。そして、本実施の形態によれば、実データの複数の断片データが元の順番から強制的に変えられ、実データが強制的に断片的に書き込まれる。これにより、実データのみからのデータの復元がさらに困難になり、セキュリティ性をさらに向上できる。
【００８２】
次に、本発明の第４の実施の形態について説明する。本実施の形態でも、データ記録装置が監視カメラ装置に設けられている。そして、本実施の形態の監視カメラ装置は、図１に示される第１の実施の形態と同様の構成を備えている。ただし、本実施の形態は、第１の実施の形態と比べると、画像データの記録関連の処理が異なっている。以下、第１の実施の形態と共通する事項の説明は適当に省略する。
【００８３】
図９は、本実施の形態の画像データの書込処理を示している。図示のように、本実施の形態では、第１の実施の形態と同様に、管理テーブルが内部記憶デバイス２０に格納される。また、実データも、第１の実施の形態と同様に、メモリカード１８のデータ領域４４に書き込まれる。ただし、本実施の形態は、メモリカード１８に関して、第１の実施の形態と異なる処理を行う。
【００８４】
すなわち、第１の実施の形態では、書込完了状態で、メモリカード１８の管理テーブルは空であった。これに対して、図８では、メモリカード１８のファイルシステム管理テーブル領域に偽管理テーブルが書き込まれる。偽管理テーブルは、データ領域４４の実データと対応する正しい管理テーブルとは異なるデータである。本実施の形態では、偽管理テーブルは、ランダムなデータである。偽管理テーブルは、予め用意された適当なデータでもよい。
【００８５】
上記の処理は、主制御部１２によって実現される。主制御部１２は、メモリカード１８および内部記憶デバイス２０のデータが図９の状態になるように書込処理を行う。そして、主制御部１２は、偽管理テーブルを生成し、メモリカード１８に書き込む。
【００８６】
また、メモリカード１８が取り出されるときは、内部記憶デバイス２０の管理テーブルが、メモリカード１８に移される。メモリカード１８では、偽管理テーブルが正規の管理テーブルに入れ替えられ、これによりファイルデータが合体される。
【００８７】
さらに、画像データの出力時は、主制御部１２は、内部記憶デバイス２０の管理テーブルに従ってメモリカード１８の実データを読み取る。メモリカード１８の偽管理テーブルは参照されない。これにより、偽管理テーブルを使っているにも拘わらず、画像データを再構築できる。そして、読み取られた画像データが通信で出力される。
【００８８】
以上に説明したように、本発明の第４の実施の形態によっても、ファイルデータが第１記憶手段と第２記憶手段に振り分けられるので、第１の実施の形態と同様に、セキュリティを好適に確保できる。そして、本実施の形態によれば、第１記憶手段に偽管理データを書き込むので、第１記憶手段からの実データの読取がさらに困難になり、セキュリティ性をさらに向上できる。
【００８９】
次に、本発明の第５の実施の形態について説明する。本実施の形態でも、データ記録装置が監視カメラ装置に設けられている。そして、本実施の形態の監視カメラ装置は、図１に示される第１の実施の形態と同様の構成を備えている。ただし、本実施の形態は、第１の実施の形態と比べると、画像データの記録関連の処理が異なっている。以下、第１の実施の形態と共通する事項の説明は適当に省略する。
【００９０】
第１の実施の形態では、前述したように、実データがメモリカード１８に記録され、管理テーブルが内部記憶デバイス２０に記録され、これによりファイルデータがメモリカード１８と内部記憶デバイス２０に振り分けられた。これに対して、本実施の形態では、実データおよび管理テーブルの各々が、２つに分けられ、メモリカード１８と内部記憶デバイス２０に振り分けられる。
【００９１】
図１０は、本実施の形態の画像データの書込処理を示している。図示のように、本実施の形態では、実データが２つに分けられ、メモリカード１８と内部記憶デバイス２０に書き込まれる。また、管理テーブルも２つに分けられ、メモリカード１８と内部記憶デバイス２０に書き込まれる。
【００９２】
図１０の例では、説明がわかりやすいように、実データのデータ量は、メモリカード１８と内部記憶デバイス２０で同じである。そして、管理テーブルのデータ量も、メモリカード１８と内部記憶デバイス２０で同じである。しかし、本発明はこれに限定されない。例えば、メモリカード１８と内部記憶デバイス２０の容量に応じた比率で、実データおよび管理テーブルが分割される。これにより、メモリ容量を効率よく使用できる。
【００９３】
上記の処理は、主制御部１２によって実現される。主制御部１２は、メモリカード１８および内部記憶デバイス２０のデータが図１０の状態になるように書込処理を行う。
【００９４】
また、メモリカード１８が取り出されるときは、内部記憶デバイス２０の管理テーブルおよび実データが、メモリカード１８に移され、これによりファイルデータが合体される。
【００９５】
さらに、画像データの出力時は、主制御部１２は、メモリカード１８および内部記憶デバイス２０の実データを、メモリカード１８および内部記憶デバイス２０の管理テーブルに従って読み取る。そして、読み取られた画像データが通信で出力される。
【００９６】
以上に説明したように、本発明の第５の実施の形態によっても、ファイルデータが第１記憶手段と第２記憶手段に振り分けられるので、第１の実施の形態と同様に、セキュリティを好適に確保できる。
【００９７】
次に、本発明の第６の実施の形態について説明する。本実施の形態でも、データ記録装置が監視カメラ装置に設けられている。そして、本実施の形態の監視カメラ装置は、図１に示される第１の実施の形態と同様の構成を備えている。ただし、本実施の形態は、第１の実施の形態と比べると、画像データの記録関連の処理が異なっている。以下、第１の実施の形態と共通する事項の説明は適当に省略する。
【００９８】
図１１は、本実施の形態の画像データの書込処理を示している。図示のように、本実施の形態では、第１の実施の形態と同様に、管理テーブルが内部記憶デバイス２０に格納される。また、実データも、第１の実施の形態と同様に、メモリカード１８に格納される。ただし、本実施の形態では、第１の実施の形態と異なり、管理テーブルが変換される。
【００９９】
本実施の形態では、管理データは、装置固有の情報に基づいて変換される。装置固有の情報は、例えば、監視カメラ装置１０のカメラ番号である。また、例えば、装置固有の情報は、監視カメラ装置１０がネットワークカメラである場合のＭＡＣアドレスである。ここでは、カメラ番号が変換処理に使われるとする。
【０１００】
例えば、カメラ番号は、下記のようにして使われる。カメラ番号が７であったとする。そして、管理テーブルが、１２３４５６７８９ａｂｃｄであるとする。このとき、カメラ番号に基づいて、管理テーブルが、７６５４３２１ｄｃｂａ９８と書き換えられる。ここでは、カメラ番号が所定の位置（先頭）に配置され、データの順番が反転されている。
【０１０１】
上記の処理は、主制御部１２によって実現される。すなわち、主制御部１２は、本発明の管理データ変換手段として機能している。主制御部１２は、変換処理のアルゴリズムを記憶しており、また、変換処理に使うカメラ番号を記憶している。そして、主制御部１２は、管理テーブルを変換し、変換された管理テーブルを内部記憶デバイス２０に書き込む。
【０１０２】
また、メモリカード１８が取り出されるときは、主制御部１２が、内部記憶デバイス２０の管理テーブルを読み出す。主制御部１２には、変換された管理データを元に戻す再変換処理のアルゴリズムも記憶されている。主制御部１２は、カメラ番号の情報を再変換アルゴリズムに適用し、管理テーブルを再生（復元）する。ここでは、主制御部１２が管理データ再変換（再生）手段として機能している。そして、再生された管理テーブルが、メモリカード１８に書き込まれ、これによりメモリカード１８でファイルデータが合体される。
【０１０３】
さらに、画像データの出力時は、主制御部１２は、メモリカード１８と内部記憶デバイス２０を参照して、画像データを読み取る。このときも、主制御部１２は、管理テーブルを再生する。そして、主制御部１２は、再生された管理テーブルに従ってメモリカード１８から実データを読み取る。
【０１０４】
以上に説明したように、本発明の第６の実施の形態によっても、ファイルデータが第１記憶手段と第２記憶手段に振り分けられるので、第１の実施の形態と同様に、セキュリティを好適に確保できる。そして、本実施の形態によれば、管理データが変換されるので、セキュリティ性を向上できる。
【０１０５】
変換処理は装置固有の情報に基づいており、装置固有の情報は例えば上記のように装置番号である。このような情報に基づいた変換処理なので、変換処理が簡単である。また、管理データを対象としているので、データ量が小さい。したがって、変換処理の時間は短くてすむ。公開鍵を使うような膨大なデータ処理は不要である。
【０１０６】
そして、このような処理時間の短い簡単な変換処理が、本実施の形態の複数の記憶手段にデータを振り分ける処理と組み合わされ、その結果、処理時間を抑えつつ、効果的にセキュリティ性を向上できる。
【０１０７】
次に、本発明の第７の実施の形態について説明する。本実施の形態でも、データ記録装置が監視カメラ装置に設けられている。そして、本実施の形態の監視カメラ装置は、図１に示される第１の実施の形態と同様の構成を備えている。ただし、本実施の形態では、内部記憶デバイスに管理テーブルが記憶されなくてよい。したがって、管理テーブル用の内部記憶デバイスは廃止されてよい。また、本実施の形態では、第１の実施の形態と比べると、画像データの記録関連の処理が異なっている。以下、第１の実施の形態と共通する事項の説明は適当に省略する。
【０１０８】
図１２は、本実施の形態の画像データの書込処理を示している。図示のように、本実施の形態では、実データと管理テーブルの両方が、メモリカード１８に書き込まれる。ただし、管理テーブルは、変換されてから、メモリカード１８に書き込まれる。
【０１０９】
変換処理のアルゴリズムは、上述の第６の実施の形態と同様でよい。すなわち、管理テーブルは、カメラ番号等の装置固有の情報に基づいて変換される。
【０１１０】
変換処理は、第６の実施の形態と同様に、主制御部１２によって行われる。すなわち、主制御部１２が管理データ変換手段として機能する。主制御部１２は、変換処理のアルゴリズムを記憶しており、また、装置固有の情報を記憶している。主制御部１２は、画像ファイルデータをメモリカード１８に書き込むとき、アルゴリズムを実行し、装置固有の情報を適用して、管理テーブルを変換する。そして、主制御部１２は、メモリカードインターフェース部１６を制御し、変換された管理テーブルをメモリカード１８に書き込む。また、実データもメモリカード１８に書き込まれる。
【０１１１】
また、メモリカード１８が取り出されるときは、主制御部１２が、メモリカード１８の管理テーブルを読み出す。主制御部１２には、再変換のアルゴリズムも記憶されている。主制御部１２は、装置固有の情報を再変換アルゴリズムに適用し、管理テーブルを再生する。ここでは、主制御部１２が管理データ再変換手段として機能している。そして、再生された管理テーブルが、メモリカード１８に戻される。それから、メモリカード１８が取り出される。
【０１１２】
さらに、画像データの出力時は、主制御部１２は、メモリカード１８の管理テーブルを再生する。そして、主制御部１２は、再生された管理テーブルに従って、メモリカード１８から画像データを読み取る。そして、主制御部１２は、読み取った画像データを、通信部２２を制御して送出する。
【０１１３】
以上に説明したように、本発明の第７の実施の形態では、ファイルデータが振り分けられはしない。しかし、第６の実施の形態と同様の変換処理が管理データに施される。第６の実施の形態で説明したように、本実施の形態では、変換の処理時間が短くてすむ。変換処理はソフトウエア的に行われ、比較的簡単に実現できる。そして、変換処理によって、メモリカード１８のデータの不正な閲覧が困難になる。したがって、本実施の形態によっても、セキュリティ性を確保でき、処理時間が短く、容易に実現できるデータ記録装置を提供できる。
【０１１４】
以上に本発明の各種の実施の形態について説明した。上述の２つ以上の実施の形態の構成が、一つの装置内で組み合わされてもよいことはもちろんである。
【０１１５】
その他、本発明は上述の実施の形態に限定されず、当業者が本発明の範囲内で上述の実施の形態を変形可能なことはもちろんである。
【産業上の利用可能性】
【０１１６】
以上のように、本発明にかかるデータ記録装置は、セキュリティ性を確保でき、処理時間が短く、しかも容易に実現できるという効果を有し、監視カメラ装置等として有用である。
【図面の簡単な説明】
【０１１７】
【図１】本発明の第１の実施の形態における監視カメラ装置のブロック図
【図２】ファイルシステムを示す図
【図３】ファイルシステムを示す図
【図４】画像データの書込処理を示す図
【図５】メモリカードの取出操作時の処理を示す図
【図６】画像データの出力時の処理を示す図
【図７】本発明の第２の実施の形態における画像データの書込処理を示す図
【図８】本発明の第３の実施の形態における画像データの書込処理を示す図
【図９】本発明の第４の実施の形態における画像データの書込処理を示す図
【図１０】本発明の第５の実施の形態における画像データの書込処理を示す図
【図１１】本発明の第６の実施の形態における画像データの書込処理を示す図
【図１２】本発明の第７の実施の形態における画像データの書込処理を示す図
【符号の説明】
【０１１８】
１０  監視カメラ装置
１２  主制御部
１４  撮像部
１６  メモリカードインターフェース部
１８  メモリカード
２０  内部記憶デバイス
２２  通信部
２８  表示部
３０  操作部
４０  ファイルシステム
４２  管理テーブル
４４  データ領域
４６  ファイル配置情報
４８  ディレクトリ領域
【図１】
2006127641.tif 000003
【図２】
2006127641.tif 000004
【図３】
2006127641.tif 000005
【図４】
2006127641.tif 000006
【図５】
2006127641.tif 000007
【図６】
2006127641.tif 000008
【図７】
2006127641.tif 000009
【図８】
2006127641.tif 000010
【図９】
2006127641.tif 000011
【図１０】
2006127641.tif 000012
【図１１】
2006127641.tif 000013
【図１２】
2006127641.tif 000014